(57)【要約】ビデオクリップ１６０は、オーディオシステム１１０における再生のために選択される歌に基づいてビデオシステムでの視聴又は記録のために選択される。オーディオセレクションの履歴１２０が維持され、この履歴１２０に基づいて、システムは「好み」の歌を識別する。システムは、好みの歌に関連されるビデオクリップ１６０のビデオマテリアルのソースをサーチし、クリップを記録する。好みの歌が再生４１０のために後続して選択されたとき、ビデオシステムは、対応するビデオクリップ１６０を再生するか、又は再生するのを提供するために構成される。任意に、システムは、ユーザのビデオコレクションにおけるクリップのロケーションのような以前に記録されたビデオクリップの位置、又はインターネットのようなコンピュータネットワークにおけるクリップのＵＲＬを記憶するために構成される。
2008521327.tif 000002
【特許請求の範囲】
【請求項１】
少なくとも１つのサーチ基準に基づいてビデオマテリアルについて１以上のネットワークをサーチするために構成されるサーチエンジンと、
前記サーチエンジンに作用的に結合され、オーディオシステムでの１以上の歌の選択に基づいて前記サーチ基準を判定するために構成されるコントローラと、
を有するシステム。
【請求項２】
前記コントローラは、ビデオマテリアルのレンダリングをディスプレイ装置に供給するために更に構成される、
請求項１記載のシステム。
【請求項３】
前記コントローラに作用的に結合され、ビデオマテリアルを記録するために構成されるレコーダを更に含む、
請求項１記載のシステム。
【請求項４】
前記コントローラは、オーディオシステムでの歌のその後のレンダリングに基づいて、ビデオマテリアルのレンダリングを制御するために更に構成される、
請求項３記載のシステム。
【請求項５】
前記コントローラは、オーディオシステムでの歌のその後のレンダリングに基づいて、ビデオマテリアルのレンダリングを制御するために更に構成される、
請求項１記載のシステム。
【請求項６】
オーディオシステムを更に含む、
請求項１記載のシステム。
【請求項７】
前記コントローラに作用的に結合され、歌の選択とビデオマテリアルとの間の関連を記憶するために構成されるデータベースを更に有する、
請求項１記載のシステム。
【請求項８】
前記コントローラは、１以上の歌の選択の履歴からのユーザの好みの判定に基づいて前記サーチ基準を判定するために構成される、
請求項１記載のシステム。
【請求項９】
前記コントローラは、前記オーディオシステムで後続してレンダリングされる確率が高い１以上の歌の判定に基づいて前記サーチ基準を判定するために構成される、
請求項１記載のシステム。
【請求項１０】
前記コントローラは、前記オーディオシステムで後続してレンダリングされる確率が高い歌のクラスの判定に基づいて前記サーチ基準を判定するために構成され、前記歌のクラスは、少なくとも１つのアーティスト及びジャンルを含む、
請求項１記載のシステム。
【請求項１１】
選択されるビデオクリップを表示装置にレンダリングするために構成されるビデオプレーヤと、
前記ビデオプレーヤに作用的に結合され、オーディオシステムでの選択される歌の選択に基づいて前記選択ビデオクリップを判定するために構成されるコントローラと、
を有するシステム。
【請求項１２】
前記コントローラに作用的に結合され、歌の情報とビデオクリップ情報との間の複数の関連を記憶するために構成されるデータベースを更に含み、
前記コントローラは、前記選択される歌と前記データベースの歌情報との比較に基づいて、前記データベースのビデオクリップ情報から前記選択されるビデオクリップを判定するために構成される、
請求項１１記載のシステム。
【請求項１３】
前記歌の情報は、少なくとも１つの歌のクラスを含み、
前記歌のクラスは、少なくとも１つのアーティスト及びジャンルを含む、
請求項１１記載のシステム。
【請求項１４】
前記コントローラは、前記ビデオプレーヤの制御を容易にするため、ユーザインタフェースを提供するために更に構成される、
請求項１１記載のシステム。
【請求項１５】
前記ユーザインタフェースは、前記オーディオシステムの制御を更に容易にする、
請求項１４記載のシステム。
【請求項１６】
前記ユーザインタフェースは、オーディオシステムでの選択可能な歌に対応する利用可能なビデオクリップのインジケータを含む、
請求項１５記載のシステム。
【請求項１７】
前記インジケータは、利用可能なビデオクリップに対応するサムネイル画像を含む、
請求項１６記載のシステム。
【請求項１８】
１以上のオーディオ選択に対応するビデオマテリアルのサーチ基準を作成するステップと、
前記サーチ基準に基づいてビデオマテリアルについて１以上のネットワークをサーチするステップと、
前記ビデオマテリアルが前記１以上のネットワークで発見されたとき、前記１以上のオーディオ選択とビデオ選択との間の関連を記憶するステップと、
を含む方法。
【請求項１９】
従来のオーディオ選択の履歴に基づいて前記１以上のオーディオ選択を決定するステップを更に含む、
請求項１８記載の方法。
【請求項２０】
前記１以上のオーディオ選択がレンダリングされたとき、その後のレンダリングのために前記ビデオマテリアルを記録するステップを更に含む、
請求項１９記載の方法。
【請求項２１】
前記ビデオマテリアルを表示装置でレンダリングするステップを更に含む、
請求項１８記載の方法。
【請求項２２】
前記１以上のオーディオ選択がオーディオシステムで後続してレンダリングされる可能性に基づいて前記１以上のオーディオ選択を判定するステップを更に含む、
請求項１８記載の方法。
【請求項２３】
前記オーディオシステムで後続してレンダリングされる可能性が高いオーディオ選択のクラスの判定に基づいて前記１以上のオーディオ選択を判定するステップを更に含み、前記歌のクラスは少なくとも１つのアーティスト及びジャンルを含む、
請求項１８記載の方法。
【請求項２４】
利用可能な歌のリストを提供するステップと、
前記利用可能な歌のリストにおける１以上の歌に対応する１以上のビデオクリップを識別するステップと、
前記リストにおける前記１以上の歌について利用可能な前記１以上のビデオクリップのインジケーションを提供するステップと、
前記利用可能な歌のリストから選択される歌のプレイリストを作成するステップと、
を含む方法。
【請求項２５】
オーディオシステムで選択される歌の少なくとも１つを再生するステップと、
ディスプレイシステムで前記選択される歌の少なくとも１つに対応する前記１以上のビデオクリップをレンダリングするステップと、
を更に含む請求項２４記載の方法。
【請求項２６】
前記インジケーションは、前記１以上のビデオクリップのうちの少なくとも１つに関する少なくとも１つのサムネイル画像を含む、
請求項２４記載の方法。
【請求項２７】
オーディオシステムで再生される歌を識別するステップと、
前記歌に対応するビデオクリップを識別するステップと、
前記歌が前記オーディオシステムで再生されるとき、表示装置で前記ビデオクリップをレンダリングするステップと、
を含む方法。
【発明の詳細な説明】
【技術分野】
【０００１】
本発明は、エンターテインメントシステムの分野に関し、より詳細には、ビデオクロップがオーディオマテリアルのセレクションに基づいて記録及び再生されるマルチメディアシステムに関する。
【背景技術】
【０００２】
大部分のホームエンターテインメントシステムは、オーディオシステム及びビデオシステムを含むか、又は、結合されたオーディオ−ビデオシステムを含んでいる。一般に、オーディオシステムは、「ジュークボックス」のような機能を可能にし、ユーザは、特定の歌を再生するために選択することができるか、又は、システムは様々な基準の何れかを使用して、歌を再生するために選択することができる。たとえば、セレクションは、単にランダムであるか、ジャンル、スタイル、アーティスト等に基づいている場合がある。従来のビデオシステムは、典型的に、テープ（ＶＣＲ）、磁気ディスク（ＤＶＲ）、光ディスク（ＤＶＤ−Ｒ／Ｗ）等のいずれかに対する記録機能を含む。
【０００３】
システムは、ユーザへのプレゼンテーションのためのマテリアルの選択を自動化するため、又はユーザへの将来的なプレゼンテーションのためにマテリアルを記録するために、一般に利用可能である。これらの自動化されたシステムは、選択プロセスを容易にするため、好き又は嫌いを明示的に述べることが一般的に可能である（たとえば「コメディ」、「ニュース」は好き、「スポーツ」は嫌い等）。システムのなかには、ユーザの視聴履歴に基づいて好き又は嫌いを更に変更するために構成される。
【０００４】
ユーザ履歴に基づいてプレゼンテーション又は記録のための選択を提供する従来のシステムでは、セレクションは一方向である。すなわち、ビューイングのためのマテリアルのセレクションは、ユーザのビューイング履歴に基づいており、リスニングのためのマテリアルのセレクションは、ユーザのリスニング履歴に基づいている。
【発明の開示】
【発明が解決しようとする課題】
【０００５】
本発明の目的は、ビデオシステムにより供給された機能性とビデオシステムにより供給された機能を統合することにある。  
さらに、本発明の目的は、別のメディアにおけるマテリアルの選択に基づいて一方のメディアにおける記録のためのマテリアルを識別することにある。
【課題を解決するための手段】
【０００６】
これらの目的及び他の目的は、オーディオシステムでの再生のために選択される歌に基づいてビデオシステムにおけるビューイング及びレコーディングのためにビデオクリップが選択される方法及びシステムにより達成される。
【０００７】
オーディオセレクションの履歴が保持され、この履歴に基づいて、システムは「好きな」歌を識別する。システムは、好きな歌に関連されるビデオクリップのビデオマテリアルのソースをサーチし、クリップを記録する。好みの歌が再生のために続いて選択されたとき、ビデオシステムは、対応するビデオクリップを再生するか、又は対応するビデオクリップを再生するのを提供するために構成される。任意に、システムは、ユーザのビデオコレクションにおけるクリップの位置、又はインターネットのようなコンピュータネットワークにおけるクリップのＵＲＬのような以前に記録されたビデオクリップの位置を記憶するために構成される。
【発明を実施するための最良の形態】
【０００８】
本発明は、添付図面を参照して、例示を通して更に詳細に説明される。  
図面を通して、同じ参照符号は同じエレメント、又は同じ機能を実質的に実行するエレメントを示す。添付図面は、例示するために含まれ、本発明の範囲を制限することが意図されていない。
【０００９】
図１は、本発明のシステムの例示的なブロック図であり、このシステムは、レンダリングされたオーディオマテリアルに基づいてビデオクリップを記録する。システムは、コントローラ１９０を含み、このコントローラは、オーディオシステム１１０により再生されたセレクションに基づいて、ビデオマテリアルについてネットワーク１４０をサーチするために構成される。オーディオセレクションに対応するビデオマテリアルが発見されたとき、コントローラは、データベース１８０に対応（correspondence）を入力し、任意に、このマテリアルを記録するためにビデオレコーダ１５０を制御する。
【００１０】
サーチエンジン１３０は、オーディオシステム１１０により再生されるセレクションに関連されるビデオマテリアルについて１以上のネットワーク１４に構成される。ネットワーク１４０は、たとえば、ブロードキャスト、サテライト、又はケーブルテレビジョントランスミッション、インターネットサイト及び他のビデオマテリアルのソースを含む。この開示の目的のため、ビデオマテリアルは、静止画及び動画の両者を含み、以下では「クリップ」と呼ばれる。
【００１１】
システムがオーディオシステムで現在再生されているセレクションに対応するビデオマテリアルをサーチするように構成されるが、現在選択されている歌に対応するビデオの同時代の（cotemporaneous）なブロードキャストの可能性は僅かであり、したがって、好適な実施の形態では、オーディオセレクションの履歴１２０に基づいてサーチが行われる。理解の容易さのため、本発明は、オーディオシステム１１０とサーチエンジン１３０の間の非同期の関係のパラダイムを使用して以下に記載される。当業者であれば理解されることであるが、オーディオシステム１１０での現在のアクティビティに基づくか、又はオーディオシステム１１０で再生されるようにスケジューリングされるマテリアルのキューに含まれるマテリアルに基づいて、サーチエンジン１３０が制御される。この環境では、履歴１２０は、セレクションの履歴に対応し、その後の再生のために選択されている歌のセットと同様に、現在選択された歌を含む。
【００１２】
本明細書で更に説明されるように、システムは、オーディオシステム１１０での現在のセレクションに対応する１以上のビデオクリップをレンダリングするために構成される。オーディオシステム１１０とサーチエンジン１３０の間の非同期の関係のパラダイムを使用して、サーチエンジン１３０により発見されるビデオクリップは、対応する歌がオーディオシステム１１０で選択されたときにその後の再生のためにビデオレコーダ１５０により記録される。同時代のセレクション及びサーチのコンテクストでは、ビデオクリップが記録されるよりはむしろ再生される。先に述べたように、このレンダリングを容易にするため、コントローラ１９０は、歌と発見されたビデオクリップ１６０の間の対応関係を含むデータベース１８０を保持するために構成される。
【００１３】
なお、ビデオレコーダ１５０及びビデオクリップのストレージ１６０は、理解の容易さのために実施の形態で示されている。ビデオマテリアルが、ユーザのビデオコレクションでＤＶＤでのような既にアクセス可能な記録された形式にあるか、若しくは、ユーザのコンピュータ又は別のアクセス可能なコンピュータに記憶されている場合、システムは、データベース１８０において、ディスク及びトラック識別子、ファイルリファレンス、ＵＲＬ等のようなビデオクリップの「アドレス」を単に記憶するために構成することができる。すなわち、例示されるビデオクリップ１６０は、単一のストレージデバイスにある必要がなく、レコーダ１５０により記録されている必要がない。同様なやり方で、レコーダ１５０は、ビデオマテリアルの形式に依存して、様々なコンポーネントを含む。たとえば、ビデオマテリアルがインターネットサイトのファイルである場合、レコーダ１５０は、そのハードドライブにファイルを記録／記憶するパーソナルコンピュータに対応するか、そのＤＶＤレコーダにおけるディスクに対応する。ビデオマテリアルがブロードキャスト信号に含まれる場合、レコーダ１５０は、信号の受信機に結合されるＶＣＲ又はＤＶＲに対応する。
【００１４】
好ましくは、コントローラ１９０は、記録すべきプログラムのユーザの明示的なセレクションのような、レコーダ１５０の他の高い優先度の使用と干渉しないように、プライオリティスキームを保持するために構成される。
【００１５】
システムはオーディオシステム１１０でそれぞれのセレクションに対応するビデオマテリアルをサーチするために構成されるが、記録及び／サーチリソースが制限される場合がある。したがって、本発明の好適な実施の形態では、コントローラ１９０は、表示される確率が高い歌に対応するビデオマテリアルをサーチするために構成される。一般に、再生されている歌の確率は、再生される類似の歌と同様に、過去に再生されたその履歴１２０により推定される。また、履歴１２０がその後の／将来的な再生のために選択されている歌のセットを含む場合、再生の確率は高い。
【００１６】
図３は、図１のコントローラ１９０で使用されるように、オーディオセレクションとビデオクリップを関連付けする例示的なフローチャートを示す。
【００１７】
ステップ３１０で、システムは、再生される確率が高い歌を判定する。先に述べたように、これは、ユーザセレクションの履歴に基づいて、オーディオシステムによる再生されるようにスケジュールされる歌のリストに基づいている。また、システムは、再生される確率が高い歌のクラスを判定するために構成され、すなわち、ユーザが所与のアーティストの歌を典型的に再生する場合、ステップ３１０での判定は、アーティストの識別となる。同様にして、ステップ３１０での判定は、ジャンル、スタイル等の識別である場合がある。利用履歴に基づいた「好み」を識別する技術は、当該技術分野で一般的であり、特定のアーティストによる特定の歌のような非常に特化した好み、又は、週末の夜でのカントリーウェスタンバラードシンガーの好みのような、非常に一般的な好みのいずれかを判定する。
【００１８】
ステップ３２０で、システムは、サーチのために利用可能なネットワークに基づいて、再生される確率が高い歌又は歌のクラスの判定に対応するサーチ基準を判定する。たとえば、ユーザが規則的に「マドンナ」の歌を規則的に再生する場合、サーチエンジンは、マドンナを特徴付ける“ＭＴＶ”ブロードキャスタ、マドンナに関連するニュースアイテム、マドンナのパフォーマンスのクリップを含むウェブサイト等をサーチするために構成される。
【００１９】
ステップ３３０で、様々な技術の何れかを使用してサーチが行われる。たとえば、ステップ３２０からのサーチ基準３２０は、タイトル、アーティスト、ジャンル等を識別するために歌又はアルバムで記録されるまたデータを含む。この情報は、自動化されたテレビジョンプログラムについて提供される一覧表のような、又はウェブページのサーチのためのキーワードのようなブロードキャスタ又は記録と関連付けされるメタデータに比較される。任意に、音声認識又は文字認識システムは、ビデオマテリアルから情報を抽出するために利用される。同様に、ビデオマテリアルのオーディオコンテンツは、たとえばフーリエ解析又は類似の技術を使用して、歌のオーディオコンテンツに比較される。
【００２０】
ステップ３４０で、再生される確率の高い歌又は歌のクラスに対応するため、ビデオマテリアルが発見されない場合、システムは、ステップ３１０に戻り、別の歌又は歌のクラスを判定し、プロセスが繰り返される。
【００２１】
ステップ３４０で、ビデオマテリアルのソースが発見されるか、又は識別される場合、歌が選択されるときにビデオマテリアルが利用可能となる可能性が高いかに関する判定が行われる。ステップ３５０で、ビデオマテリアルが、ウェブサイトから、又はユーザのオンラインのビデオマテリアルのコレクションから容易に利用可能であるかが判定され、必要とされるときにマテリアルを配置するために必要とされる情報は、ステップ３９０で記憶される。
【００２２】
ステップ３５０で、ビデオマテリアルが連続して利用可能な確率が低いと判定された場合、したがって必要とされたときに利用可能である可能性が低い場合、システムは、マテリアルを記録するために構成される。ステップ３６０で、マテリアルは、幾つかの将来的な時間でブロードキャストされるようにスケジュールされるビデオマテリアルのように、現在アクセス可能ではなく、システムは、ステップ３７０で、後の時間でマテリアルを記録するようにレコーダをスケジュールする。さもなければ、システムは、ステップ３８０でマテリアルを記録するためにレコーダをアクチベートする。
【００２３】
ステップ３９０で、必要とされるときマテリアルを配置するために必要とされる情報が記憶され、システムは、ステップ３１０に戻り、再生される確率が高い別の歌又は歌のクラスを判定する。
【００２４】
代替的又は補足的な実施の形態では、システムは、ビデオクリップを個々の歌又は歌のセットとユーザが直接的に関連付けするのを可能にするために構成される。たとえば、システムは、ＭＴＶのようなミュージックチャネルからビデオマテリアルを連続的に記録し、ユーザのオーディオコレクションから選択された歌と関連付けされるビデオクリップとして記憶するため、記録されたマテリアルのサブセグメントをユーザが選択するのを可能にする。同様にして、ユーザがインターネットをブラウジングする間にビデオ情報を視聴した場合、ユーザは、ビデオクリップのコレクションに追加するためにコピーをダウンロードするか、又は、インターネットのクリップに対応するＵＲＬを記憶し、このクリップの位置をユーザのオーディオコレクションにおける選択された歌又は歌のセットとデータベースを介して関連付けする。
【００２５】
図２は、選択されたオーディオマテリアルに基づいてビデオクリップを再生する本発明のシステムの例示的なブロック図である。
【００２６】
コントローラ１９０及びオーディオシステム１１０は、当業者であれば同じである必要がないと認識されるであろうが、図１で使用されるのと同じコンポーネントとして示されている。
【００２７】
歌が再生されようとしているとき、コントローラ１９０は、データベース１８０にアクセスし、ビデオクリップ１６０がこの歌に対応して識別されたかを判定する。識別された場合、コントローラ１９０は、表示装置２６０でクリップ１６０をレンダリングするためにビデオプレーヤ２５０をアクチベートするために構成される。クリップ１６０のメディアに依存して、ビデオプレーヤ２５０は、ＶＣＲ、ＶＤＲ、ＤＶＤプレーヤ等である場合がある。クリップ１６０がコンピュータファイルに記憶される場合、ビデオプレーヤ２５０は、コンピュータにビデオカードを表し、クリップ１６０がオンデマンドブロードキャストである場合、ビデオプレーヤ２５０は、ケーブル又はサテライトインタフェースユニットを表す場合がある。
【００２８】
好適な実施の形態では、コントローラ１９０は、以下に更に説明されるように、クリップ１６０のレンダリングをユーザがディスエーブル又は延期するのを可能にするユーザインタフェースを提供する。このインタフェースは、サーチ及び／又はレコードモードの選択的なアクチベーションを含む。たとえば、システムは、“Ｎ”個の最も頻繁に使用される歌に対応するビデオをサーチするか、“Ｍ”個の最も人気のあるパフォーマーに対応するビデオをサーチするためにユーザにより構成される。同様に、ユーザは、この自動化された記録プロセスのために使用される記録リソースの量を制限する。他の制御及びコンフィギュレーションオプションは、この開示の観点で当業者にとって明らかである。
【００２９】
図４は、本発明に係るオーディオシステムによりレンダリングされている歌に基づいたビデオクリップをレンダリングする図２のコントローラ１９０に実施されるユーザインタフェースを例示的なフローチャートである。  
ステップ４１０で、再生されようとしている選択された歌、又は現在再生されている歌が識別される。
【００３０】
ステップ４２０で、上述されたように、歌とビデオの対応関係を含むデータベースがサーチされ、ビデオクリップが選択された歌に対応するために識別されたかが判定される。データベースにおける情報に依存して、この判定は、歌のタイトル及びアーティストの整合のように非常に特別であるか、又は、関連付けされるビデオクリップを有する歌のクラスと選択された歌が整合することの判定のように一般的である。たとえば、ビデオクリップは、特定の歌よりも特定のアーティストと、又は特定のジャンル、スタイル等と関連付けされる。幾つかのケースでは、選択された歌は、複数のビデオクリップと関連付けされ、好適な実施の形態では、ステップ４２０での判定は、選択された歌とデータベースにおけるエントリとの間の整合の程度の「ランキング」を含む。
【００３１】
ステップ４３０で、ユーザには、ステップ４４０で、識別されたビデオクリップを再生すること、及び／又は多数のビデオクリップのうちから選択することのオプションが与えられる。好ましくは、多数のクリップが選択された歌と関連される場合、インタフェースは、選択された歌とデータベースにおけるそれぞれのエントリとの間の整合の程度に基づいて上述されたランキングに基づいたセレクションを与えるために構成される。
【００３２】
好適な実施の形態では、ユーザには、オーディオセレクションに続いて、オーディオセレクションと同時にビデオクリップをレンダリングするオプションが提供される。同時のプレゼンテーションが選択された場合、ユーザには、ビデオトラックのオーディオ部分をミュートするオプションが提供される。任意に、同じ歌がビデオクリップ及びオーディオクリップに含まれる場合、システムは、オーディオシステムによる選択された歌のレンダリングにビデオクリップを同期させるために構成される。このオプションは、オーディオシステムの品質をビデオクリップのオーディオコンポーネントの品質よりも優れているシステムにおける実現に特に良好に適している。後続するプレゼンテーションが選択された場合、又はビデオクリップがオーディオクリップに代わって選択された場合、システムは、ビデオクリップがレンダリングされている間にオーディオクリップのレンダリングを適切に停止し、ビデオクリップが終了したときに次のオーディオセレクションをレンダリングするためにオーディオシステムを制御するために構成される。
【００３３】
好適な実施の形態のデフォルトのシナリオでは、ユーザは、システムを「ビデオクリップモード」にし、システムは、かかるクリップが利用可能なときはいつでも選択された歌に対応するビデオクリップを自動的に再生する。同様に、システムは、テレビジョン又はエンターテインメントシステムにビデオクリップを自動的に提供するために構成され、ユーザは、ユーザがオーディオシステムをアクチベートしたときにビデオクリップチャネルを単に選択することでビデオクリップモードに入る。
【００３４】
また、好適な実施の形態では、ユーザのコレクションにおける歌のビデオクリップの利用可能性の示唆がユーザに提供される。コンピュータ制御されるオーディオシステムの簡単な実施の形態では、「プレイリスト」を作成するために歌を選択するのに使用されるインタフェースは、それぞれの歌のタイトルでチェックマーク又は他のインジケータでアーギュメントされる。代替的な実施の形態では、それぞれのクリップの「サムネイル」画像がインジケータとして使用される。多数のクリップが所与の歌について利用可能である場合、インタフェースは、歌が再生されたときにどのクリップをレンダリングすべきかをユーザが選択するのを可能にする。他のユーザオプションも同様に提供することができる。たとえば、インタフェースは、歌が現在のプレイリストに配置されるとき、所与の歌について「デフォルト」クリップをユーザが選択するのを可能にし、代替的なクリップをユーザが選択すること、又はクリップを全く選択しないことを可能にする。同様にして、プレイリストにおける歌が関連されるビデオクリップを有さないときにレンダリングするため、デフォルトの「バックグランドクリップ」が識別される。他のコンフィギュレーション及びセレクションオプションは、この開示の観点で当業者にとって明らかであろう。
【００３５】
ステップ４２０で、選択された歌に関連されるビデオが存在しない場合、又はステップ４３０で、ユーザがビデオをレンダリングしないことを選択しない場合、又は、ステップ４４０で、ビデオクリップがレンダリングされたとき、システムはステップ４１０に戻り、次の選択された歌を待ち、次いで先のプロセスを繰り返す。
【００３６】
上述した内容は、本発明の原理を単に例示するものである。当業者であれば、本実施の形態で明示的に記載又は図示されていないが、本発明の原理を実施し、本発明の精神及び範囲内にある様々なアレンジメントを考案することができるであろうことを理解されたい。たとえば、上述したように、ひとたびビデオマテリアルがユーザの「好み」のセットに対応するために識別されると、システムは、識別されたビデオマテリアルのオーディオトラックのセグメントをコピーすることで、オーディオマテリアルのユーザのコレクションをアーギュメントするために構成される。たとえば、ユーザの好みのアーティストがＭＴＶに現れた場合、出現の間にアーティストが実行する歌はオーディオセレクションのユーザのコレクションに追加するために記録される。また、記憶機能は、ビデオクリップを記憶するために制限されることを認識して、図３のフローチャートは、ステップ３７０，３８０で新たに識別されたビデオクリップを記録する余地をつくるため、前に記憶されたビデオクリップの削除を含むように変更される。キャッシングの分野で一般的である、多数のプライオリティスキームの何れかは、率直なファーストイン、ファーストアウトのリプレースメントスキームを含めて、どのクリップを削除するかを判定するために使用される。これら及び他のシステムコンフィギュレーション及び最適化の特徴は、この開示の観点で当業者にとって明らかであり、特許請求の範囲に含まれる。
【００３７】
請求項の解釈において、以下が理解されるべきである。  
単語「有する“comprising”」は所与の請求項で列挙された以外のエレメント又はステップの存在を排除するものではない。幾つかの「手段」は、同じアイテムのハードウェア又はソフトウェアで実現された構造又は機能により表される。それぞれの開示されたエレメントは、ハードウェア部分（たとえば、ディスクリート及び集積された電子回路を含む）、ソフトウェア部分（たとえば、コンピュータプログラミング）、及びその任意の組み合わせから構成される。ハードウェア部分は、アナログ及びデジタル部分の一方又は両方から構成される。開示された装置又はその一部は、互いに結合されるか、又は特に述べない場合には更なる部分に分離される場合がある。特定のステップのシーケンスは、特に示されない場合には必要とされないことが意図される。
【図面の簡単な説明】
【００３８】
【図１】レンダリングされたオーディオマテリアルに基づいたビデオクリップを記録する本発明のシステムの例示的なブロック図である。
【図２】選択されたオーディオマテリアルに基づいたビデオクリップを再生する本発明のシステムの例示的なブロック図である。
【図３】本発明に係るオーディオセレクションとビデオクリップを関連付けする例示的なフローチャートである。
【図４】本発明に係るオーディオシステムによりレンダリングされた歌に基づいてビデオクリップをレンダリングリングする例示的なフローチャートである。
【図１】
2008521327.tif 000003
【図２】
2008521327.tif 000004
【図３】
2008521327.tif 000005
【図４】
2008521327.tif 000006
【国際調査報告】
2008521327.tif 000007
2008521327.tif 000008
2008521327.tif 000009